(57)【要約】      （修正有）【課題】密着したフィルムを簡単に剥離することができ、剥離したフィルムを粘着部から剥がす必要のないフィルム剥離具と、当該フィルム剥離具を用いた袋開口具セットを提供する。【解決手段】フィルム剥離具１０は、密着したフィルムの一方を他方から剥離するのに用いるものであって、手持ち本体１１と非粘着性及び耐滑り性を有する当接体１２とを備え、当該当接体が手持ち本体の先端側に設けられたものである。袋開口具セットは、物を出し入れする開口部を備えた樹脂袋の当該開口部を開けるのに用いるものであって、樹脂袋を載せる載せ台とフィルム剥離具を備えたものである。載せ台は非粘着性及び耐滑り性を備えている。【選択図】図１
0003227621.tif 000002
【実用新案登録請求の範囲】
【請求項１】
密着したフィルムの一方を他方から剥離するのに用いるフィルム剥離具において、
手持ち本体と非粘着性及び耐滑り性を有する当接体とを備え、
前記当接体が前記手持ち本体の先端側に設けられた、
ことを特徴とするフィルム剥離具。
【請求項２】
請求項１記載のフィルム剥離具において、
手持ち本体と当接体の双方又はいずれか一方が生分解性材料からなる、
ことを特徴とするフィルム剥離具。
【請求項３】
請求項１又は請求項２記載のフィルム剥離具において、
当接体が手持ち本体から着脱可能である、
ことを特徴とするフィルム剥離具。
【請求項４】
密着したフィルムの一方を他方から剥離するのに用いるフィルム剥離具において、
手持ち本体と非粘着性及び耐滑り性を有する当接体を備え、
前記手持ち本体に液体又は液体を含侵した中綿材を収容可能な収容部が設けられ、
前記手持ち本体の長手方向両端に前記収容部内の液体又は中綿材に接触する芯材が設けられ、
前記両芯材の外側に芯材に含浸された液体の乾燥を防止するキャップが被せられ、
前記両キャップの少なくとも一方に非粘着性及び耐滑り性を有する当接体が設けられた、
ことを特徴とするフィルム剥離具。
【請求項５】
物を出し入れする開口部を備えた樹脂袋の当該開口部を開けるのに用いる袋開口具セットにおいて、
前記樹脂袋を載せる載せ台と、請求項１から請求項４のいずれか１項に記載のフィルム剥離具を備え、
前記載せ台は、非粘着性及び耐滑り性を備えた、
ことを特徴とする袋開口具セット。
【考案の詳細な説明】
【技術分野】
【０００１】
本考案は、密着したフィルムの一方を他方から剥離するのに用いるフィルム剥離具と、当該フィルム剥離具を用いた袋開口具セットに関する。
【背景技術】
【０００２】
スーパーマーケットなどでは、商品を入れるのに樹脂製フィルム袋（以下「樹脂袋」という）が使用される。一般的な樹脂袋は二枚の四角形のフィルムで構成されている。二枚のフィルムは三辺が溶着され、残された一辺に物を出し入れする開口部が設けられている。この樹脂袋は数千袋分が連続した長尺のシート状であり、芯材の外周にロール状に巻かれている。使用時には、長尺シートの始端側から一袋分だけ引き出してカットするが、始端部がロール表面に貼りついて剥がしにくいことがある。また、一袋分をカットできても、フィルム同士が静電気などで密着して開口部を開きにくいことがある。
【０００３】
樹脂袋以外にも、食材や料理、これらの入った皿などを包む際に用いる樹脂製の食品用ラップフィルム（以下、単に「ラップフィルム」という）でも、フィルムの始端部を剥がしにくいということが生じる。一般的なラップフィルムは長尺のシート状であり、芯材の外周にロール状に巻かれている。樹脂袋と同様、使用時には、長尺シートの始端側から引き出して所望長のところでカットするが、始端部がロール表面に貼りついて剥がしにくいことがある。
【０００４】
従来、樹脂袋の開口部を簡単に開けるための道具として、先端に粘着性のあるエラストマー素材が設けられたオープン具（特許文献１）が、ラップフィルムを簡単に剥離できるようにする道具として、粘着ローラーを備えた剥離ローラー（特許文献２）が提案されている。また、樹脂袋の開口部を開けやすくするため、指を濡らすための濡れ布巾を用意している店舗などもある。
【先行技術文献】
【特許文献】
【０００５】
【特許文献１】実用新案登録第３２００９９０号公報
【特許文献２】実用新案登録第３２２４７８５号公報
【考案の概要】
【考案が解決しようとする課題】
【０００６】
ところが、前記オープン具や剥離ローラーは、粘着部をフィルムに貼り付けるものであるため、フィルム同士を剥離した後に粘着部からフィルムを剥がさなければならず手間がかかる。また、粘着部をフィルムから剥がす際に、当該フィルムが破れることもある。
【０００７】
濡れ布巾を用いる場合、オープン具や剥離ローラーを用いる場合のような不都合は生じない。ところが、接触によって感染すると言われる新型コロナウイルス感染症が世界的に広がっている昨今では、感染拡大防止の観点から濡れ布巾を撤去する店舗が増えており、買い物時に樹脂袋の開口部を開けるのに不便を感じることも少なくない。
【０００８】
本考案はかかる事情に鑑みてなされたものであり、その解決課題は、密着したフィルムを簡単に剥離することができ、剥離したフィルムを粘着部から剥がす必要のないフィルム剥離具と、当該フィルム剥離具を用いた袋開口具セットを提供することにある。
【課題を解決するための手段】
【０００９】
［フィルム剥離具］
本考案のフィルム剥離具は、密着したフィルムの一方を他方から剥離するのに用いるものであって、手持ち本体と非粘着性及び耐滑り性を有する当接体とを備え、当該当接体が手持ち本体の先端側に設けられたものである。
【００１０】
［袋開口具セット］
本考案の袋開口具セットは、物を出し入れする開口部を備えた樹脂袋の当該開口部を開けるのに用いるものであって、樹脂袋を載せる載せ台と本考案のフィルム剥離具を備えたものである。載せ台は非粘着性及び耐滑り性を備えている。
【考案の効果】
【００１１】
［フィルム剥離具］
本考案のフィルム剥離具は、フィルムに当接する当接体が耐滑り性を備えているため、簡単にフィルムを剥離することができる。また、当接体が非粘着性を備えているため、剥離したフィルムを粘着部から剥がす手間がかからず、フィルムが破れる心配もない。
【００１２】
［袋開口具セット］
本考案の袋開口具セットは、載せ台とフィルム剥離具の双方が耐滑り性を備えているため、樹脂袋の開口部を簡単に開けられる。また、載せ台とフィルム剥離具の双方が非粘着性を備えているため、剥離したフィルムを粘着部から剥がす手間がかからず、フィルムが破れる心配もない。
【図面の簡単な説明】
【００１３】
【図１】（ａ）は本考案のフィルム剥離具の一例を示す正面図、（ｂ）は（ａ）のフィルム剥離具の側面図。
【図２】（ａ）は本考案のフィルム剥離具の他例を示す説明図、（ｂ）は（ａ）のフィルム剥離具のキャップを外した状態の説明図。
【図３】（ａ）〜（ｃ）は本考案のフィルム剥離具を用いて樹脂袋の開口部を開く場合の手順説明図。
【図４】（ａ）〜（ｃ）は本考案のフィルム剥離具を用いてラップフィルムの始端部を剥離する場合の手順説明図。
【図５】本考案の袋開口具セットの一例を示す説明図。
【図６】（ａ）は長尺の載せ台が作業台に固定された状態を示すもの、（ｂ）は短い載せ台が作業台に固定された状態を示すもの。
【図７】（ａ）は手持ち本体を磁性体で構成し、載せ台側のマグネットに磁着できるようにした場合の一例を示すもの、（ｂ）は手持ち本体に固着用マグネットを設けて載せ台側の受けマグネットに磁着できるようにした場合の一例を示すもの。
【図８】（ａ）〜（ｃ）は本考案の袋開口具セットを用いて樹脂袋の開口部を開く場合の手順説明図。
【考案を実施するための形態】
【００１４】
（フィルム剥離具の実施形態１）
本考案のフィルム剥離具１０の実施形態の一例を、図面を参照して説明する。本考案のフィルム剥離具１０は、たとえば、ラップフィルムＲや樹脂袋Ｂのように、密着したフィルムの一方を他方から剥離するのに用いるものである。
【００１５】
一例として図１（ａ）（ｂ）に示すフィルム剥離具１０は、手持ち本体１１と、手持ち本体１１の先端に設けられた当接体１２を備えている。この実施形態の手持ち本体１１は縦長角柱状（棒状）の木製部材である。手持ち本体１１の先端部は曲面状に成形され、その外周に当接体１２が設けられている。
【００１６】
前記当接体１２は、密着したフィルムの一方の表面に当接し、当該フィルムの他方のフィルムに対する位置をずらすための部材である。当接体１２は、フィルムに付着しない性質（本願において「非粘着性」という）と、フィルムの表面を滑りにくい性質（本願において「耐滑り性」という）を備えている。なお、本願では、当接体１２を押し当ててスライドさせた際に、フィルムをずらせないほど当接体１２がフィルム表面を滑ってしまうことを滑りやすいといい、フィルムの表面を滑らずにフィルムをずらすことができることを滑りにくいという。
【００１７】
図１（ａ）（ｂ）に示す例では、当接体１２としてスポンジを用いている。スポンジは、厚さ数ｍｍ程度であり、接着剤を用いて曲面部の外面に貼付されている。当接体１２はスポンジ以外であってもよく、たとえば、ゴム材や樹脂材を用いることもできる。当接体の大きさや形状は手持ち本体の大きさや形状に合わせて適宜調節することができる。
【００１８】
（フィルム剥離具の実施形態２）
本考案のフィルム剥離具１０の実施形態の他例を、図面を参照して説明する。この実施形態のフィルム剥離具１０は、手持ち本体１１と当接体１２を備えている。
【００１９】
図２（ａ）（ｂ）に示すように、この実施形態の手持ち本体１１は、内部に収容部（空間）１１ａを備えた樹脂製部材である。収容部１１ａには水や消毒液などの液体が収容される。収容部１１ａには、水や消毒液を入れる代わりに水や消毒液を含浸した中綿材（図示しない）を収容することもできる。
【００２０】
手持ち本体１１の長手方向両端には芯材１１ｂ、１１ｃが設けられている。芯材１１ｂ、１１ｃは液体を吸収可能な材質であり、手持ち本体１１内で収容部１１ａ内の液体又は中綿材に接している。図２（ａ）（ｂ）では、両端の芯材１１ｂ、１１ｃの太さが異なる場合を一例として示しているが、両端の芯材１１ｂ、１１ｃは同じ太さであってもよい。太い方の芯材（本願において「太芯」という）１１ｂには、細い方の芯材（本願において「細芯」という）１１ｃに比べて多くの液体が含浸されている。
【００２１】
太芯１１ｂの外側には、太芯１１ｂに含浸した液体が乾燥するのを防ぐための太芯キャップ１３ａが被せられている。太芯キャップ１３ａの外側には前記当接体１２が設けられている。当接体１２には、前記フィルム剥離具の実施形態１と同様のものを用いることができる。細芯１１ｃの外側には、細芯１１ｃに含浸した液体が乾燥するのを防ぐための細芯キャップ１３ｂが被せられている。太芯１１ｂは当接体１２のようにフィルムに押しあててフィルムをずらすのに用いることもできる。
【００２２】
この実施形態のフィルム剥離具１０は、前記フィルム剥離具の実施形態１と同様、当接体１２でフィルムを移動させる（ずらす）ことによって、密着した一方のフィルムを他方のフィルムから剥離することができる。また、太芯キャップ１３ａを外して太芯１１ｂを露出させ、その太芯１１ｂを指で摘まむことで指を濡らすことができる。これにより、濡れ布巾を用いて指を濡らした場合と同様に指がフィルムにくっつきやすくなり、フィルム袋の開口部Ｂ１を開けやすくなる。
【００２３】
また、この実施形態のフィルム剥離具１０では、細芯キャップ１３ｂを外して細芯１１ｃを露出させることで、当該細芯１１ｃでエレベーターのボタンを押すなどの用途に用いることができる。新型コロナウイルスのように接触によって感染するウイルスが流行した場合、エレベーターの操作ボタンなど、不特定多数の人が触れる部分に触れなくて済むように、爪楊枝のような棒が用いられることがある。ところが、このような棒は使用後にエレベーター内に散乱することが多く、これを回収する際に回収者がウイルスに感染するリスクがある。この実施形態のフィルム剥離具によれば、このようなリスクを防止することができる。細芯１１ｃに消毒液が染み出すようにした場合には、操作ボタン自体の消毒にもなり、感染拡大防止の一助となる。
【００２４】
（フィルム剥離具のその他の実施形態）
前記フィルム剥離具の実施形態１及び２では、手持ち本体１１が角柱状の場合を一例としているが、手持ち本体１１の形状はこれ以外であってもよく、たとえば、円柱状や平板状（図７（ａ）（ｂ）参照）など、手で持てる形状であればよい。また、手持ち本体１１は中実でも中空でもよい。
【００２５】
前記フィルム剥離具の実施形態１では手持ち本体１１が木製の場合を、前記フィルム剥離具の実施形態２では手持ち本体１１が樹脂製の場合を一例としているが、手持ち本体１１はこれ以外の素材からなるものであってもよい。たとえば、ゴム製や金属製などであってもよい。手持ち本体１１は生分解可能な素材（生分解性材料）で構成することもできる。同様に、当接体１２も生分解性材料で構成することができる。
【００２６】
手持ち本体１１や当接体１２を生分解性材料で構成した場合、使い捨てでの利用が可能となる。たとえば、スーパーマーケット内に設置されたストッカー（図示しない）に、生分解性材料で構成されたフィルム剥離具１０を複数本収容し、各利用者が一本ずつ取り出して使えるようにしておけば、ウイルスなどの感染症が流行した場合に、不特定多数の者で一つの道具を使いまわすことがないため、感染拡大防止の一助となる。
【００２７】
また、前述のようにスーパーマーケットに設置しておくことができれば、持参し忘れた場合でも樹脂袋Ｂの開口部Ｂ１を開くのに苦労することがない。
【００２８】
手持ち本体１１はマグネット（その他の磁性体を含む。本願において同じ。）で構成することもできる。この場合、たとえば、スーパーマーケットの作業台Ｔ（図６（ａ）（ｂ）参照）や家庭内の樹脂袋を保管する戸棚などの近傍にマグネットを設置しておき、そのマグネットに磁着することで、手持ち本体１１を保管することができる。このようにすることで手持ち本体１１を紛失しにくく、使いたいときにすぐに使うことができる。
【００２９】
手持ち本体１１をマグネットで構成する代わりに、手持ち本体１１（磁性を有するか否かを問わない）にマグネット（本願において「固着用マグネット」という）１４を取り付け、当該固着用マグネット１４を作業台Ｔや戸棚などに設置したマグネットに磁着できるようにすることもできる。
【００３０】
前記フィルム剥離具の実施形態１及び２では、当接体１２が手持ち本体１１と別体の場合を一例としているが、当接体１２は手持ち本体１１と一体にすることもできる。この場合、たとえば、手持ち本体１１自体をスポンジやゴム、樹脂など非粘着性及び耐滑り性を有する素材で構成することができる。
【００３１】
本考案のフィルム剥離具１０は、前記各実施形態に限定されるものではなく、その要旨を逸脱しない限りにおいて種々の変形、変更が可能である。
【００３２】
（フィルム剥離具の使用例１）
本考案のフィルム剥離具１０は、当接体１２をフィルムに押しあて、その状態で当該フィルムをスライドさせることで、当該フィルムを密着した他方のフィルムから剥がすことができる。たとえば、図３（ａ）〜（ｃ）に示すように、樹脂袋Ｂの上側のフィルムの表面にフィルム剥離具１０の当接体１２を押しあて、その状態で上側のフィルムをスライドさせることで上側のフィルムを下側のフィルムからずらして開口部Ｂ１を開けることができる。
【００３３】
（フィルム剥離具の使用例２）
本考案のフィルム剥離具１０は、樹脂袋Ｂの開口部Ｂ１を開ける場合のほか、ラップフィルムＲの始端部Ｒ１を剥離する道具として用いることもできる。この場合、図４（ａ）〜（ｃ）に示すように、上側のフィルムに当接した当接体１２をスライドさせることで、ラップフィルムＲの始端部Ｒ１をロール側のフィルムから剥がすことができる。
【００３４】
（袋開口具セットの実施形態）
本考案の袋開口具セット３０の実施形態の一例を、図面を参照して説明する。本考案の袋開口具セット３０は、物を出し入れする開口部Ｂ１を備えた樹脂袋Ｂの当該開口部Ｂ１を開けるのに用いるものである。一例として図５に示す袋開口具セット３０は、フィルム剥離具１０と樹脂袋Ｂを載せる載せ台２０を備えている。フィルム剥離具１０については既に説明済みであるため、ここではその説明を省略する。
【００３５】
一例として図５に示す載せ台２０は四角形の平板状部材である。この実施形態では、載せ台２０としてスポンジを用いている。このスポンジは縦１００ｍｍ、横１００ｍｍ、厚さ数１０ｍｍ程度であるが、載せ台２０はこれより大きくても小さくてもよく、これより厚くても薄くてもよい。載せ台２０はスポンジ以外であってもよく、たとえば、ゴム材や樹脂材を用いることもできる。フィルム剥離具１０の当接体１２と同様、この実施形態の載せ台２０も非粘着性及び耐滑り性を備えている。載せ台２０は生分解性材料で構成することもできる。
【００３６】
図６（ａ）（ｂ）に示すように、載せ台２０は、たとえば、利用者が商品を袋詰めする作業台Ｔに接着手段で固定しておくことができる。接着手段としては、両面テープや接着剤などを用いることができる。載せ台２０の裏面に予め剥離紙付きの粘着テープを固着しておき、当該剥離紙を剥がして作業台Ｔに貼りつけられるようにしてもよい。
【００３７】
この場合、たとえば、図６（ａ）のように、横長の作業台Ｔの手前側に横長の載せ台２０を固定し、袋詰めする利用者Ｐが必要に応じて使用できるようにすることができる。載せ台２０は、図６（ｂ）のように、短いものを作業台Ｔに等間隔で固定しておくこともできる。この場合、載せ台２０の位置が利用者Ｐの立ち位置を決める目印ともなり、一人の利用者Ｐが作業台Ｔを占有するような事態の解消の一助ともなる。
【００３８】
（袋開口具セットのその他の実施形態）
前記袋開口具セットの実施形態では、載せ台２０を作業台Ｔに固定する場合を一例としているが、家庭で使用する場合などには、冷蔵庫などに固定できるように、載せ台２０の裏面に磁石（図示しない）を設けておくこともできる。
【００３９】
手持ち本体１１をマグネットで構成する場合、たとえば、図７（ａ）に示すように載せ部２０を平板状のベース材２１に固定するとともに、当該ベース材２１にマグネット（本願において「受けマグネット」という）２２を設け、当該受けマグネット２２に手持ち本体１１や固着用マグネット１４を磁着させることで、フィルム剥離具１０を載せ部２０側に固定できるようにすることができる。
【００４０】
同様に、手持ち本体１１に固着用マグネット１４を設ける場合、たとえば、図７（ｂ）に示すように、載せ部２０を平板状のベース材２１に固定するとともに当該ベース材２１に受けマグネット２２を設け、当該受けマグネット２２に手持ち本体１１や固着用マグネット１４を磁着させることで、フィルム剥離具１０を載せ部２０側に固定できるようにすることができる。この場合、ベース材２１を磁性体で構成し、受けマグネット２２を省略することもできる。
【００４１】
前記袋開口具セットの実施形態では説明をしていないが、載せ台２０にはフィルム剥離具を収容しておくための収容部を設けることもできる。
【００４２】
本考案の袋開口具セット３０は、前記各実施形態に限定されるものではなく、その要旨を逸脱しない限りにおいて種々の変形、変更が可能である。
【００４３】
本考案の袋開口具セット３０は、図８（ａ）〜（ｃ）に示すように、載せ台２０上に載せた樹脂袋Ｂの上側のフィルムの表面にフィルム剥離具１０の当接体１２を押しあて、その状態で上側のフィルムをスライドさせることで上側のフィルムを下側のフィルムからずらして開口部Ｂ１を開けることができる。
【符号の説明】
【００４４】
１０    フィルム剥離具
１１    手持ち本体
１１ａ  収容部（空間）
１１ｂ  芯材（太芯）
１１ｃ  芯材（細芯）
１２    当接体
１３ａ  太芯キャップ
１３ｂ  細芯キャップ
１４    マグネット（固着用マグネット）
２０    載せ台
２１    ベース材
２２    マグネット（受けマグネット）
３０    袋開口具セット
Ｂ      樹脂袋
Ｂ１    開口部
Ｐ      利用者
Ｒ      ラップフィルム
Ｒ１    始端部
Ｔ      作業台
【図１】
0003227621.tif 000003
【図２】
0003227621.tif 000004
【図３】
0003227621.tif 000005
【図４】
0003227621.tif 000006
【図５】
0003227621.tif 000007
【図６】
0003227621.tif 000008
【図７】
0003227621.tif 000009
【図８】
0003227621.tif 000010